(57)【特許請求の範囲】
【請求項１】
溶融した樹脂を押し出してパリソンを形成し、このパリソンを金型のキャビティー内に閉じこめ、加圧膨張させて金型内壁に押圧せしめてバリ付きの中間製品を成形し、この中間製品を金型内で冷却して脱型した後、中間製品のバリを切除するようにしたブロー成形方法において、前記中間製品の製品外となる部分には、バリを切除する際に利用するガイド部がバリ切除予定ラインに沿って、バリ切除予定ラインよりも外側に、形成されていることを特徴とするブロー成形方法。
【請求項２】
溶融樹脂を押し出すためのノズル及びこのノズルから押し出されて形成されたパリソンを閉じこめて中間製品をブロー成形する金型を有するブロー成形装置であって、前記ブロー成形金型の割型面には、前記中間製品の製品外となる部分にバリ切除予定ラインに沿ったバリ切除用のガイド部を、バリ切除予定ラインよりも外側に、形成するための形状部が設けられていることを特徴とするブロー成形装置。
【請求項３】
溶融樹脂を押し出すためのノズルおよびこのノズルから押し出されて形成されたパリソンを閉じこめて中間製品をブロー成形する金型を有するブロー成形装置であって、このブロー成形装置はさらに、前記中間製品のバリ切除予定ラインに沿ったバリ切除用のガイド部を形成するため形状部が設けられた金型を別途有することを特徴とするブロー成形装置。
【発明の詳細な説明】
【技術分野】
【０００１】
本発明は、ブロー成形によって得られる中空樹脂成形品のバリを正確に切除できるブロー成形方法およびブロー成形装置に関する。
に関する。
【背景技術】
【０００２】
溶融した熱可塑性樹脂を押し出してパリソンを成形し、これをエアー等で膨張させることにより中空製品を製造することが行われている。こうして製造されるプラスチック製の中空製品としては、たとえば燃料タンク、灯油缶、洗剤やシャンプーのボトル、飲料用ペット・ボトルがある。
【０００３】
パリソンを利用したブロー成形では成形後の製品を取り出すために割型を使用しており、割型を使用するためにバリが発生する。したがって、通常は、成形後にバリを切除する必要がある。バリが沢山残っていると見栄えが悪く、逆に製品部分まで食い込んで切り込んでしまうと漏れが生じやすい。このため、バリを切除するには、目視等により人がハサミやナイフを使ったり、あるいはロボットを操作して行う精密な作業が必要である。
【０００４】
たとえばガソリンタンクの場合、ガソリンの透過を防ぐため、シーラー層を含む多層パリソンを押し出してブロー成形することが多い。このため、バリ切除（末端処理）には、特許文献１に記載される通りシーラー層が途切れないための工夫が必要である。
【０００５】
【特許文献１】特開昭６３−４９３２号公報
【発明の開示】
【発明が解決しようとする課題】
【０００６】
特許文献１においては、バリを全く残さずにカットするため末端部が面と面との突き合せになり破れ易いこと、および、金型に小型の駆動装置を付加するため構造や操作が複雑化する問題がある。
【０００７】
中空製品の末端部に、バリ切除を原因とするダメージを与えないためには、正確なカッティングが必要である。しかし、ガソリンタンク等、複雑な形状の中間製品の場合はカットラインも非常に複雑であるため、バリ切除のために多大な作業時間を掛けなければならない。また、カッティングが複雑化すると不良品発生率が高くなりコストの増大も招く。
【課題を解決するための手段】
【０００８】
上記課題を解決するため本発明は、溶融した樹脂を押し出してパリソンを形成し、このパリソンを金型のキャビティー内に閉じこめ、加圧膨張させて金型内壁に押圧せしめてバリ付きの中間製品を成形し、この中間製品を金型内で冷却して脱型した後、中間製品のバリを切除するようにしたブロー成形方法において、前記中間製品の製品外となる部分には、バリを切除する際に利用するガイド部がバリ切除予定ラインに沿って形成された構成とした。
【０００９】
また、本発明に係るブロー成形装置は、ブロー成形金型の割型面に中間製品の製品外となる部分にバリ切除予定ラインに沿ったバリ切除用のガイド部を形成するための凹部および凸部などの形状部が設けられた構成とした。
【００１０】
バリ切除用のガイド部を形成するための形状部は前記ブロー成形金型とは別の金型に形成してもよい。
【発明の効果】
【００１１】
本発明によれば、ブロー成形の中間製品にバリ切除の際に利用するガイド部を設けたため、バリ切除を正確且つ短時間で行うことができる。そのため、不良品の発生率が低減され、生産コストも低下させることができる。
【００１２】
したがって、洗剤やシャンプーのボトル、飲料用ペット・ボトルの製造に好適に利用できる。また、より精密なバリ切除が必要な多層パリソンにも十分に対応できるため、たとえば気化ガソリンの透過を防止したガソリンタンク、あるいは、灯油の臭いが沁み出さない灯油缶を製造することができる。
【発明を実施するための最良の形態】
【００１３】
以下に本発明の詳細を添付図面に基づいて説明する。図１は本発明方法を実施するためのブロー成形装置の側面図であり、ブロー成形装置はノズルヘッド１と金型２から構成され、ノズルヘッド１には溶融樹脂をパリソンとして押し出す円環状のノズル孔が同心状に形成され、各ノズル孔に向けて溶融樹脂を送り込む押出機３，４が接続されている。押出機３，４は樹脂を押し出すためのスクリューフィーダを備えるとともに個別に温度コントロール可能にされ、各押出機３，４から特定の樹脂がそれぞれ所定の粘度で押し出され、パリソン５を形成する。
【００１４】
また金型２は左右の半割型６，７で構成され、各半割型６，７の突合せ面の一方には凸部６ａが突合せ面の他方には前記凸部６ａとともに後述するガイド部を成形する凹部７ａが形成されている。
【００１５】
以上において、溶融樹脂をノズルヘッド１から押し出すことで形成されるパリソン５を半割型６，７を組み合わせた金型２のキャビティー内に閉じこめ、パリソン末端部等からエアーを吹き込むことにより、パリソンを加圧膨張させて金型内壁に押圧することで中間製品が成形される。この際、パリソン末端部は半割型間に挟まってしまうため、ここがバリ部となるが、本発明にあっては、製品外のバリ部に前記凸部６ａ及び凹部７ａによってガイド部が形成される。
【００１６】
図２は上記の方法で成形した中間製品の一例を示す部分断面図である。成形された中間製品Ｗにあっては、パリソン５の末端部のバリ切除予定ライン５ａ周辺は従来通りの扁平状に形成される形状とした。それに加えて、バリ切除予定ライン５ａよりも外側部分、つまり製品外となる部分に、カッター１０のガイド・アーム１１を案内するためのガイド部１２が形成される形状とした。
【００１７】
このように、バリ切除予定ライン５ａに沿ってガイド部１２を形成し、脱型後に、このガイド部１２を利用してバリを切除すれば複雑なカットラインであっても正確に切除することが可能である。なお、ガイド部１２は全てのバリ切除予定ライン５ａに沿って設けることもできるが、部分的に設けることも可能であり、たとえば、特に複雑な形状部分のみ、あるいは、主要な長辺部分だけであっても良い。更に、図示例ではガイド部１２を凸部６ａ及び凹部７ａによって形成したが、これ以外の形状部で形成してもよい。
【００１８】
本図に示すように、ガイド部１２をバリ切除予定ライン５ａよりも外側に設けておけば、バリを切除するとガイド部１２も一緒に切除される。したがって、本発明の方法を実施しても最終製品の形状や性能には全く影響を及ぼすことがない。なお、本図ではブロー成形用金型２にガイド部１２を形成させるための凹凸部を設けたが、金型２とは別に、ガイド部１２の形成用のもう一つの金型を用意し、金型２から中間製品Ｗを脱型後、ガイド部１２形成用の金型で処理することも可能である。
【００１９】
図３乃至図５は、中間製品の他の例を示す部分断面図である。図３の例では、バリ切除のためのカッター１０が人の手によって操作される。したがって、ガイド部１２を握り拳の背面でなぞれる形状としている。
【００２０】
また、図４の例では、光学読取装置１３でガイド部１２を辿りながら、この光学読取装置１３から送られる情報に従ってバリ切除用のビームカッター１４が操作される仕組みとしている。
【００２１】
さらに図５の例では回転式のカッター１５を使用する。すなわちカッター１５に設けた一対の倣いローラ１６，１７によって、ガイド部１２を挟みながら回転し、正確にバリ切除予定ライン５ａに沿ったバリ切除を行うようにしている。
【図面の簡単な説明】
【００２２】
【図１】本発明方法を実施するブロー成形装置の側面図
【図２】本発明のブロー成形装置によって成形した中間製品の一例を示す部分断面図
【図３】本発明のブロー成形装置によって成形した中間製品の他の例を示す部分断面図
【図４】本発明のブロー成形装置によって成形した中間製品の他の例を示す部分断面図
【図５】本発明のブロー成形装置によって成形した中間製品の他の例を示す部分断面図
【符号の説明】
【００２３】
１…ノズルヘッド、２…金型、３，４…押出機、５…パリソン、５ａ…バリ切除予定ライン、６，７…半割型、６ａ…凸部、７ａ…凹部、１０…カッター、１１…ガイド・アーム、１２…ガイド部、１３…光学読取装置、１４…ビームカッター、１５…回転式カッター、１６，１７…倣いローラ、Ｗ…中間製品。
【図１】
0004817909.tif 000002
【図２】
0004817909.tif 000003
【図３】
0004817909.tif 000004
【図４】
0004817909.tif 000005
【図５】
0004817909.tif 000006